(57)【要約】【課題】従来から知られている画像補正は主としてシフト補正を行うものであり、撮影レンズを実際に逆ティルトさせることなく逆ティルト撮影効果を得るためには、煩雑な画像処理過程が必要であった。【解決手段】αブレンドモジュール３０３は、バッファメモリ３０１の現像画像記憶領域Ｍ２から読み出した現像画像信号Ｐ４と、バッファメモリ３０１のローパス処理画像記憶領域Ｍ３から読み出したローパス処理画像信号Ｐ７と、マスク画像処理部３０６から読み出したマスク画像信号Ｐ６とを入力し、所定の演算を実行して合成画像を求める。【選択図】図４
2010246033.tif 000002
【特許請求の範囲】
【請求項１】
撮像素子から得られた画像信号に基づいて現像画像を形成する現像手段と、
前記現像画像の高周波成分を除去してローパス処理画像を形成する高域除去手段と、
前記現像画像および前記ローパス処理画像に対してアルファブレンド処理を行うためのアルファ値群をマスク画像情報として出力するマスク画像情報出力手段と、
カメラの撮影状態に応じて複数ある前記マスク画像情報のいずれか一つを選択するマスク画像情報選択手段と、
前記マスク画像情報選択手段から出力されたマスク画像情報と、前記現像画像と、前記ローパス処理画像とに基づいてアルファブレンド処理を行う合成手段とを備え、
逆ティルト撮影効果を持たせた合成画像を前記合成手段から出力することを特徴とするカメラ。
【請求項２】
請求項１に記載のカメラにおいて、
前記マスク画像情報出力手段は、画素位置に対応するアルファ値を記憶した基準マスク画像備えており、
前記マスク画像情報選択手段は、カメラの撮影状態に応じて前記基準マスク画像を所定の角度だけ回転させることにより特定のマスク画像情報を出力することを特徴とするカメラ。
【請求項３】
請求項１に記載のカメラにおいて、
前記マスク画像情報出力手段は、画素ごとのアルファ値を演算により算出して前記マスク画像情報を形成するプロセッサであり、
前記マスク画像情報選択手段は、カメラの撮影状態に応じて前記プロセッサから特定のマスク画像情報を出力することを特徴とするカメラ。
【請求項４】
請求項１ないし３のいずれか一項に記載のカメラにおいて、
マスク画像情報選択手段は、ユーザが予め設定した撮影条件およびカメラの姿勢に応じて、複数ある前記マスク画像情報のいずれか一つを選択することを特徴とするカメラ。
【請求項５】
請求項１ないし４のいずれか一項に記載のカメラにおいて、
前記マスク画像情報選択手段は、選択されたＡＦエリア位置に応じて、複数ある前記マスク画像情報のいずれか一つを選択することを特徴とするカメラ。
【請求項６】
請求項１ないし４のいずれか一項に記載のカメラにおいて、
前記合成画像をライブビュー画面として表示することを特徴とするカメラ。
【請求項７】
撮影済み画像から高周波成分を除去してローパス処理画像を形成する高域除去手段と、
前記撮影済み画像および前記ローパス処理画像に対してアルファブレンド処理を行うためのアルファ値群をマスク画像情報として出力するマスク画像情報出力手段と、
前記撮影済み画像に付されている情報に基づいて、複数ある前記マスク画像情報のいずれか一つを選択するマスク画像情報選択手段と、
前記マスク画像情報選択手段から出力されたマスク画像情報と、前記撮影済み画像と、前記ローパス処理画像とに基づいてアルファブレンド処理を行う合成手段とを備え、
逆ティルト撮影効果を持たせた合成画像を前記合成手段から出力することを特徴とする画像処理装置。
【請求項８】
請求項７に記載の画像処理装置において、
前記撮影済み画像に付されている情報としてExif情報を用いることを特徴とする画像処理装置。
【請求項９】
撮影済み画像から高周波成分を除去してローパス処理画像を形成する高域除去工程と、
前記撮影済み画像および前記ローパス処理画像に対してアルファブレンド処理を行うためのアルファ値群をマスク画像情報として出力するマスク画像情報出力工程と、
前記撮影済み画像に付されている情報に基づいて、複数ある前記マスク画像情報のいずれか一つを選択するマスク画像情報選択工程と、
前記マスク画像情報選択工程により選択されたマスク画像情報と、前記撮影済み画像と、前記ローパス処理画像とに基づいてアルファブレンド処理を行うことにより、逆ティルト撮影効果を持たせた合成画像を形成する合成工程とを、
コンピュータにより実行させることを特徴とする画像処理プログラム。
【発明の詳細な説明】
【技術分野】
【０００１】
本発明は、カメラ、画像処理装置、および画像処理プログラムに関するものである。
【背景技術】
【０００２】
従来から知られている通り、所謂あおり補正を行うことにより、固定された視点から見た建物画像などを補正することが広く知られている。また、特許文献１には、画像ファイル中に記録されている撮影条件データを参照することにより、あおり補正の手法を切り替えることが記載されている。
ここで言うあおり補正とは、ティルト・シフトレンズあるいは大判カメラにより撮影レンズをシフトさせた場合と同様な撮影画像を得るための画像補正（すなわち、シフト補正）をいう。
【先行技術文献】
【特許文献】
【０００３】
【特許文献１】特開平２００６−１６３４９７号公報
【発明の概要】
【発明が解決しようとする課題】
【０００４】
このように、従来から知られている画像補正は主としてシフト補正を行うものであり、撮影レンズを実際に逆ティルトさせることなく逆ティルト撮影効果を得るためには、煩雑な画像処理過程が必要であった。特に、通常の撮影レンズを備えたデジタルカメラを用いて、ユーザが所望する逆ティルト撮影画像を簡易に得ることはできなかった。
【課題を解決するための手段】
【０００５】
請求項１に記載の発明は、撮像素子から得られた画像信号に基づいて現像画像を形成する現像手段と、前記現像画像の高周波成分を除去してローパス処理画像を形成する高域除去手段と、前記現像画像および前記ローパス処理画像に対してアルファブレンド処理を行うためのアルファ値群をマスク画像情報として出力するマスク画像情報出力手段と、カメラの撮影状態に応じて複数ある前記マスク画像情報のいずれか一つを選択するマスク画像情報選択手段と、前記マスク画像情報選択手段から出力されたマスク画像情報と、前記現像画像と、前記ローパス処理画像とに基づいてアルファブレンド処理を行う合成手段とを備え、逆ティルト撮影効果を持たせた合成画像を前記合成手段から出力するカメラである。
請求項７に記載の発明は、撮影済み画像から高周波成分を除去してローパス処理画像を形成する高域除去手段と、前記撮影済み画像および前記ローパス処理画像に対してアルファブレンド処理を行うためのアルファ値群をマスク画像情報として出力するマスク画像情報出力手段と、前記撮影済み画像に付されている情報に基づいて、複数ある前記マスク画像情報のいずれか一つを選択するマスク画像情報選択手段と、前記マスク画像情報選択手段から出力されたマスク画像情報と、前記撮影済み画像と、前記ローパス処理画像とに基づいてアルファブレンド処理を行う合成手段とを備え、逆ティルト撮影効果を持たせた合成画像を前記合成手段から出力する画像処理装置である。
請求項９に記載の発明は、撮影済み画像から高周波成分を除去してローパス処理画像を形成する高域除去工程と、前記撮影済み画像および前記ローパス処理画像に対してアルファブレンド処理を行うためのアルファ値群をマスク画像情報として出力するマスク画像情報出力工程と、前記撮影済み画像に付されている情報に基づいて、複数ある前記マスク画像情報のいずれか一つを選択するマスク画像情報選択工程と、前記マスク画像情報選択工程により選択されたマスク画像情報と、前記撮影済み画像と、前記ローパス処理画像とに基づいてアルファブレンド処理を行うことにより、逆ティルト撮影効果を持たせた合成画像を形成する合成工程とを、コンピュータにより実行させる画像処理プログラムである。
【発明の効果】
【０００６】
本発明に係るカメラによれば、実際に撮影レンズをティルトさせることなく、所望の逆ティルト撮影効果を持たせた撮影画像を得ることができる。
本発明に係る画像処理装置によれば、撮影完了後の画像に対して所望の逆ティルト撮影効果を与えることができる。
本発明に係る画像処理プログラムによれば、撮影完了後の画像に対して所望の逆ティルト撮影効果を与えるための画像処理を実現することができる。
【図面の簡単な説明】
【０００７】
【図１】本発明を適用したデジタルカメラの断面構成図である。
【図２】カメラ本体の姿勢について説明した図である。
【図３】図１に示したデジタルカメラの電気系統を示すブロック図である。
【図４】図３に示したＡＳＩＣ１３のうち、本実施の形態１によるαブレンド処理を行うための信号処理部を描いたブロック図である。
【図５】ＡＳＩＣ１３を用いて逆ティルト撮影効果をもたせるための画像処理手順を示したフローチャートである。
【図６】アルファブレンド処理用のマスク画像を示す図である。
【図７】ＡＦエリア位置とマスク画像との関係を例示した図である。
【図８】レンズの焦点距離に応じてマスク画像が実質的に変化していく状態を示す図である。
【発明を実施するための形態】
【０００８】
以下、図面を参照して、本発明の実施の形態を詳細に説明する。
【０００９】
＜実施の形態１＞
図１は、本発明を適用したデジタルカメラの断面構成図である。本図において、１００は脱着可能なレンズ鏡筒、２００はカメラ本体である。本実施の形態１では、撮影レンズを実際に逆ティルトさせることなく、後に詳述する画像処理により逆ティルト撮影効果を得ているので、通常の交換レンズを使用することができる。
ここでいう逆ティルト撮影効果とは、撮影した画面のうち特定領域内の画像は焦点が合った画像とするが、それ以外の領域にある画像については所謂ピンボケの状態にすることをいう。なお、焦点が合っている画像と所謂ピンボケの画像との境界は、徐々に変化させていく場合のみならず、段階的に変化させる場合も含む。
【００１０】
カメラ本体２００には、カメラ制御部２０５が備えられており、全てのカメラ動作を制御する。２０１はメインスイッチであり、電源のオン／オフ操作を行う。２０４は、半押し検出機能および全押し検出機能を有するレリーズボタンである。
【００１１】
２０６は、カメラ本体２００の撮影姿勢を検出する傾斜センサである。この傾斜センサ２０６は、図２の（１）に示すようにカメラ本体が水平に保持されている状態、図２の（２）に示すようにグリップ部を上側にした状態、図２の（３）に示すようにグリップ部を下側にした状態を検出する。傾斜センサ２０６から出力されたカメラ姿勢情報に基づいて、アルファブレンド処理用のα値を２値画像として記憶してあるマスク画像を選択する（後に図６を参照して詳述する）。
【００１２】
図３は、図１に示したデジタルカメラの電気系統を示すブロック図である。本図において、１０は撮像素子であるＣＣＤ、１１はアナログ信号処理回路、１２はＡ／Ｄ変換回路、１６はＣＣＤドライバ、１７はタイミングジェネレータである。焦点検出装置２６などを用いることにより、撮影レンズに入射する被写体光がＣＣＤ１０上に結像するよう撮影レンズを合焦位置へ駆動する機構については、通常のデジタルカメラと同様であるので、説明を省略する。タイミングジェネレータ１７は、ＣＣＤドライバ１６とアナログ信号処理回路１１とＡ／Ｄ変換回路１２の動作タイミングを制御する。測光装置２５は、レリーズボタン２０４により半押し操作が検出されたとき測定を開始する。半押し操作に引き続いて全押し操作がなされると、ＣＣＤ１０には被写体像の明るさに応じた信号電荷が蓄積される。ＣＣＤ１０に蓄積された信号電荷はドライバ１６の制御により吐き出され、ＡＧＣ回路およびＣＤＳ回路などを含むアナログ信号処理回路１１に入力される。アナログ信号処理回路１１は、入力されたアナログ画像信号に対してゲインコントロール、雑音除去等のアナログ処理を施し、処理済みのアナログ信号をＡ／Ｄ変換回路１２に出力する。
【００１３】
Ａ／Ｄ変換回路１２によってデジタル変換された信号は、画像処理回路であるＡＳＩＣ（Application Specific Integrated Circuit）１３に入力される。ＡＳＩＣ１３では、輪郭補償、ガンマ補正およびホワイトバランス調整などが行われ、一旦バッファメモリ１５に格納される。バッファメモリ１５に記憶された画像データは、圧縮回路１４によりＪＰＥＧ方式で所定の比率にデータ圧縮を受け、フラッシュメモリ等の記憶媒体２７に記録される。また、バッファメモリ１５には、ライブビュー表示用の画像データが格納され、表示器２１にライブビューとして表示される。撮影完了後には、表示器２１に撮影確認画面が表示される。
【００１４】
４０は逆ティルト設定スイッチであり、カメラ本体の表示器２１に表示されるメニュー画面（図示せず）を見ながら、逆ティルト撮影の態様を指定する。本実施の形態１では、「現像画像のうち中心部分を含む水平領域（横長領域）については焦点を合わせ、現像画像の上下端領域にいくに従って画像をぼかす」という「逆ティルト撮影モードＡ」を設定するか、あるいは、「現像画像のうち中心部分を含む垂直領域（縦長領域）については焦点を合わせ、現像画像の左右端領域にいくに従って画像をぼかす」という「逆ティルト撮影モードＢ」を設定するか、を逆ティルト設定スイッチ４０により選択する。
なお、逆ティルト設定スイッチ４０として、一般的なメニュー設定を行うための十字キー（図示せず）を兼用してもよい。
【００１５】
図４は、図３に示したＡＳＩＣ１３のうち、本実施の形態１によるαブレンド処理を行うための信号処理部を描いたブロック図である。図５は、ＡＳＩＣ１３を用いて逆ティルト撮影効果をもたせるための画像処理手順を示したフローチャートであり、図示しないメモリ中にプログラムの形態でステップＳ１〜ステップＳ５を記憶させてある。図６は、アルファブレンド処理用のα値を２値画像として記憶してあるマスク画像を示している。図６に示した４種類のマスク画像は、α＝１のとき黒、α＝０のとき白となるような画素値分布パターンを持っている。
【００１６】
これら図４ないし図６を参照して、ＡＳＩＣ１３の動作を説明していく。
【００１７】
§手順１：ステップＳ１を以下の手順により実行する。
ＣＣＤ１０，アナログ信号処理回路１１，Ａ／Ｄ変換回路１２を介してＡＳＩＣ１３に入力された撮像信号Ｐ１は、バッファメモリ３０１内の入力画像記憶領域Ｍ１に蓄積される。その後、入力画像記憶領域Ｍ１から読み出された撮像信号Ｐ２は画像処理部３０５に入力され、所定の補間処理・色処理・輪郭処理などが施されて現像画像信号Ｐ３となり、バッファメモリ３０１内の現像画像記憶領域Ｍ２に保存される。
【００１８】
§手順２：ステップＳ２を以下の手順により実行する。
現像画像記憶領域Ｍ２から読み出された現像画像信号Ｐ４はローパスモジュール３０２に入力され、高周波成分が除去されたローパス処理画像（所謂ピンボケ画像）Ｐ５として出力される。このローパス処理画像（所謂ピンボケ画像）Ｐ５は、バッファメモリ３０１内のローパス処理画像記憶領域Ｍ３に蓄積される。
【００１９】
§手順３：ステップＳ３を以下の手順により実行する。
まず、図１に示した逆ティルト設定スイッチ４０の設定内容を、ＣＰＵ１８を介してＡＳＩＣ１３内のマスク画像処理部３０６に取り込む。この設定内容は、既述の通り、「逆ティルト撮影モードＡ」または「逆ティルト撮影モードＢ」のどちらがユーザにより選択されたかを示している。
【００２０】
「逆ティルト撮影モードＡ」では、図６に示す横長マスク画像Ａ１または縦長マスク画像Ａ２を用いて、「現像画像のうち中心部分を含む水平領域（横長領域）については焦点を合わせ、現像画像の上下端領域にいくに従って画像をぼかす」ための画像処理を行う。したがって、横長マスク画像Ａ１および縦長マスク画像Ａ２は、いずれも現像画像の中心部がα＝１（黒）であり、中心部から上側および下側にずれていくにしたがって、α値が徐々にα＝０に近づいてい行く。α値の分布曲線は横長マスク画像Ａ１および縦長マスク画像Ａ２の左側に描いてある。この「逆ティルト撮影モードＡ」では、現像画像の上端部および下端部に行くにしたがってα値は徐々に小さくなっていくが、現像画像の横方向のα値は一定値を有している。
【００２１】
「逆ティルト撮影モードＢ」では、図６に示す横長マスク画像Ｂ１または縦長マスク画像Ｂ２を用いて、「現像画像のうち中心部分を含む垂直領域（縦長領域）については焦点を合わせ、現像画像の左右端領域にいくに従って画像をぼかす」ための画像処理をいう。したがって、横長マスク画像Ｂ１および縦長マスク画像Ｂ２は、いずれも現像画像の中心部がα＝１（黒）であり、中心部から左側および右側にずれていくにしたがって、α値が徐々にα＝０に近づいていく。α値の分布曲線は横長マスク画像Ｂ１および縦長マスク画像Ｂ２の下側に描いてある。この「逆ティルト撮影モードＢ」では、現像画像の左端部および右端部に行くにしたがってα値は徐々に小さくなっていくが、現像画像の縦方向のα値は一定値を有している。
【００２２】
図６に示したマスク画像のいずれか一つを用いて行うアルファブレンド処理とは、
αが０〜１の値をとるとき、現像画像の画素ごとに次式による演算を行うことをいう。
αブレンド処理後の合成画素値Ｘij＝（現像画像の画素値Ａij）×α＋（ローパス処理画像の画素値Ｂij）×（１−α）  ・・・（式１）
【００２３】
マスク画像処理部３０６は、ユーザにより「逆ティルト撮影モードＡ」が指定されたとき、マスク画像Ａ１およびマスク画像Ａ２を候補マスク画像Ａ’として選択しておく。同様に、ユーザにより「逆ティルト撮影モードＢ」が指定されたとき、マスク画像Ｂ１およびマスク画像Ｂ２を候補マスク画像Ｂ’として選択しておく。次に、マスク画像処理部３０６は、傾斜センサ２０６（図３参照）からの検出信号を取り込んで、カメラ本体の姿勢（図２参照）を検出する。その結果、カメラ本体の姿勢が水平であれば、マスク画像処理部３０６は、候補マスク画像Ａ’または候補マスク画像Ｂ’からマスク画像Ａ１またはＢ１を選択する。他方、カメラ本体の姿勢が水平でないとき（すなわち、グリップ部が上側または下側にあると検出されたとき）には、マスク画像処理部３０６は、候補マスク画像Ａ’または候補マスク画像Ｂ’からマスク画像Ａ２またはＢ２を選択する。
【００２４】
図６に示したマスク画像は、マスク画像処理部３０６の記憶領域（図示せず）に記憶させてあるが、バッファメモリ３０１のマスク画像記憶領域（図示せず）に記憶させておいてもよい。
【００２５】
なお、図６には４種類のマスク画像を示しているが、マスク画像Ａ１を９０度回転させることによりマスク画像Ｂ２となり、同様に、マスク画像Ａ２を９０度回転させることによりマスク画像Ｂ１となるので、実際に記憶させておくマスク画像は２種類でよい。さらに、本実施の形態１では、アルファブレンド処理の分野で慣行的に使用されているマスク画像という文言を使用しているが、当然のことながら、現像画像の各画素に対応したα値を総称してマスク画像と呼んでいるにすぎない。
【００２６】
マスク画像処理部３０６からは、このようにして選択されたマスク画像信号Ｐ６がαブレンドモジュール３０３に送られる。
【００２７】
§手順４：ステップＳ４を以下の手順により実行する。
αブレンドモジュール３０３は、バッファメモリ３０１内の現像画像記憶領域Ｍ２から読み出した現像画像信号Ｐ４と、バッファメモリ３０１内のローパス処理画像記憶領域Ｍ３から読み出したローパス処理画像信号Ｐ７と、マスク画像処理部３０６から読み出したマスク画像信号Ｐ６とを入力し、上記の（式１）を演算して合成画像を求める。その合成画像は、αブレンドモジュール３０３から合成画像信号Ｐ８としてバッファメモリ３０１に送られ、合成画像記憶領域Ｍ４に保存される。
【００２８】
§手順５：ステップＳ５を以下の手順により実行する。
バッファメモリ３０１内の合成画像記憶領域Ｍ４に保存されている合成画像は、所定の圧縮処理を施した後に圧縮画像記憶領域Ｍ５に保存し、その後、記録モジュール３０９に転送する。本実施の形態１では、図示しないライブビュー処理回路により、合成画像から表示用画像を作成し、表示器２１に表示させている。その結果として、ユーザは逆ティルト撮影された画像（すなわち、合成画像）をリアルタイムで確認することができる。なお、表示器２１には通常のライブビュー画像を表示させておき、撮影完了後にアルファブレンド処理された合成画像を所定時間だけ表示させてもよい。
【００２９】
−実施の形態１による作用・効果−
実施の形態１によれば、以下のような作用・効果を奏することができる。
【００３０】
（１）実施の形態１によるカメラは、ＣＣＤ１０から得られた画像信号に基づいて現像画像を形成する画像処理部３０５と、現像画像の高周波成分を除去してローパス処理画像を形成するローパスモジュール３０２と、現像画像およびローパス処理画像に対してアルファブレンド処理を行うためのアルファ値群をマスク画像情報として記憶しておき、カメラの撮影姿勢（横・縦）に応じて複数あるマスク画像情報のいずれか一つを選択するマスク画像処理回路３０６と、マスク画像処理回路３０６から出力されたマスク画像情報と、現像画像と、ローパス処理画像とに基づいてアルファブレンド処理を行うαブレンドモジュール３０３とを備えているので、シフトレンズを使用していないにも拘わらず、実際に逆ティルト撮影をしたような撮影画像を得ることができる。
【００３１】
（２）予め画素位置に対応するアルファ値を記憶した基準マスク画像Ａ１，Ａ２を記憶しておき、カメラの姿勢に応じて基準マスク画像Ａ１，Ａ２を９０度だけ回転させることにより別のマスク画像Ｂ２，Ｂ１を形成することができるので、記憶容量の半減および読み出し時間の短縮を図ることができる。
【００３２】
（３）αブレンド処理を行うに際し、ユーザが予め設定した逆ティルト撮影モードと、時々刻々と変わるカメラの姿勢とに応じて複数あるマスク画像からいずれか一つのマスク画像を選択しているので、カメラの撮影姿勢に拘わらず常にユーザが意図した逆ティルト撮影効果を得ることができる。
【００３３】
（４）ライブビュー表示中の各コマごとにαブレンド処理した画像を表示するので、逆ティルト撮影効果を有する合成画像をリアルタイムで確認することができる。
【００３４】
−実施の形態１における変形例−
（変形例１）
上述した実施の形態１では、ユーザが設定する撮影モードとして逆ティルト撮影モードＡ，Ｂについて説明したが、図１のカメラにより表示されるＡＦフレームの位置に対応したマスク画像を自動選択することも可能である。
図７は、ＡＦエリア位置とマスク画像との関係を示した図である。本図の左列はαブレンド処理に使用されるマスク画像を、右列は撮影時の画像に対するＡＦエリアの位置を示している。図７から明らかなように、ＡＦエリアの位置がα＝１となるようにマスク画像の中心位置（α＝１となる位置）を変更している。
【００３５】
図７（ａ），（ｂ），（ｃ）は、図６に示したＡ１の変形例である。すなわち、図７（ａ）では上側のＡＦエリア位置に合わせてマスク画像の中心位置（α＝１となる位置）を配置してある。図７（ｂ）では、ＡＦエリアを中央もしくは左・右とした場合に、そのＡＦエリア位置を中心としてマスク画像の縦方向の中心（α＝１となる位置）を合わせてある。図７（ｃ）では、下側のＡＦエリア位置をマスク画像の中心位置（α＝１となる位置）としてある。
【００３６】
図７（ｄ），（ｅ）は、図６に示したＡ２の変形例である。すなわち、図７（ｄ）は、カメラをグリップ上またはグリップ下（図２参照）に構えたときのマスク画像である。このときに、ＡＦエリアが下側にある場合には、マスク画像の中心位置（α＝１となる位置）も下方向に移動する。図７（ｅ）は、カメラをグリップ上または下に構えたとき、ＡＦエリアが上側にある場合、マスク画像の中心位置（α＝１となる位置）を上方向に移動させている。
【００３７】
（変形例２）
実施の形態１では、カメラのメニュー画面を選択することにより２種類の逆ティルト撮影モードＡ，Ｂを設定可能としたが、より細かな逆ティルト撮影モードＡｎ，Ｂｎを設定することも可能である。ここで、例えばｎ＝１，２，３とする。より具体的には、図６のＡ１に示したマスク画像を上方向に僅かだけ移動させるときには逆ティルト撮影モードＡ１とし、逆に図６のＡ１に示したマスク画像を下方向に僅かだけ移動させるときには逆ティルト撮影モードＡ３とする。図６のＢ１に示したマスク画像を左・右の方向に微動させるときも同様である。
【００３８】
（変形例３）
図１に示した傾斜センサ２０６は、カメラの姿勢が水平であるか縦であるか（図２参照）を検出するものであった。しかし、検出角度の分解能を４５度とすることにより、マスク画像を４５度だけ回転させることができる。その結果、さまざまなカメラアングルに適合した逆ティルト撮影を行うことができる。
【００３９】
（変形例４）
これまで説明してきたマスク画像は、予め記憶させてあったが、所定の演算式に基づいて画素ごとのα値を算出することができる。その結果、複数の演算式を用意しておくことにより、多種多様なマスク画像を生成することができる。
【００４０】
（変形例５）
αブレンド処理を行う際に、撮影レンズの焦点距離を変更することにより、合成画像のボカシ領域を変化させることが可能である。すなわち、ある特定のマスク画像を選択した場合にも、レンズ自体が有する本来の結像特性を利用してα値の分布を事実上変更したのと同じ効果を得ることができる。
【００４１】
図８は、レンズの焦点距離に応じてマスク画像が実質的に変化していく状態を示している。ここで、図８（ａ）はワイド端で撮影したとき、図８（ｂ）は中間位置で撮影したとき、図（ｃ）はテレ端で撮影したとき、左右のボケ領域が徐々に広がっていく様子を示している。より具体的に述べると、図８（ａ）に示すマスク画像が基本となるマスク画像であり、合成画像の上下にボケを生じさせることができる。実施の形態１において述べた「逆ティルト撮影モードＡ」のマスク画像に相当している。ところが、ワイド側に進めるにしたがって、左右にボケ領域を生じさせることができる。
このように焦点距離に応じて、左右のボケ領域の範囲を（ａ：ワイド端）＜（ｂ）＜（ｃ：テレ端）とすることが可能である。実施の形態１において述べた「逆ティルト撮影モードＢ」のマスク画像についても同様のことがいえる。
【００４２】
＜実施の形態２＞
実施の形態２では、撮影済みの写真データを入力し、逆ティルト撮影効果を与えた画像を得るための画像処理装置を提供する。この画像処理装置は、図４に示したＡＳＩC１３を備えており、図５に示した処理手順を実行する。すなわち、実施の形態２による画像処理装置は、
撮影済み画像から高周波成分を除去してローパス処理画像を形成する高域除去部と、
撮影済み画像およびローパス処理画像に対してアルファブレンド処理を行うためのアルファ値群をマスク画像情報として出力するマスク画像情報出力部と、
撮影済み画像に付されている情報に基づいて、複数あるマスク画像情報のいずれか一つを選択するマスク画像情報選択部と、
マスク画像情報選択部から出力されたマスク画像情報と、撮影済み画像と、ローパス処理画像とに基づいてアルファブレンド処理を行う合成部とを備え、逆ティルト撮影効果を持たせた合成画像を合成部から出力する。
このような構成を採ることにより、撮影完了後の画像を入力し、逆ティルト撮影効果を与える画像を出力する画像処理装置を実現することができる。
【００４３】
ここで、撮影済み画像に付されている情報としてExif情報を用いるのが好適である。たとえば、画像の縦／横、カメラの傾斜角度情報、フォーカスポイントなどを読み出すことにより、αブレンド処理に使用するマスク画像の選択、ならびに、マスク画像の回転制御を行うことができる。
【００４４】
＜実施の形態３＞
実施の形態３では、撮影済みの写真データを入力し、逆ティルト撮影効果を与えた画像を得るための画像処理プログラムを提供する。この画像処理プログラムは、図４に示したＡＳＩC１３内のプログラム記憶領域（図示せず）に記憶されており、図５に示した処理手順を実行する。すなわち、実施の形態３による画像処理プログラムは、
撮影済み画像から高周波成分を除去してローパス処理画像を形成する高域除去ステップと、
撮影済み画像およびローパス処理画像に対してアルファブレンド処理を行うためのアルファ値群をマスク画像情報として出力するマスク画像情報出力ステップと、
撮影済み画像に付されている情報に基づいて、複数あるマスク画像情報のいずれか一つを選択するマスク画像情報選択ステップと、
マスク画像情報選択ステップにより選択されたマスク画像情報と、撮影済み画像と、ローパス処理画像とに基づいてアルファブレンド処理を行うことにより、逆ティルト撮影効果を持たせた合成画像を形成する合成ステップとを、コンピュータにより実行させるものである。
【００４５】
以上の説明はあくまで一例であり、本発明の特徴を損なわない限り、本発明は上述した実施の形態および変形例に限定されるものではない。
実施の形態と変形例の一つとを組み合わせること、もしくは、実施の形態と変形例の複数とを組み合わせることも可能である。
変形例同士をどのように組み合わせることも可能である。
さらに、本発明の技術的思想の範囲内で考えられる他の形態についても、本発明の範囲内に含まれる。
【符号の説明】
【００４６】
１０  ＣＣＤ撮像素子
１１  アナログ信号処理回路
１２  Ａ／Ｄ変換回路
１３  ＡＳＩＣ（画像処理回路）
１６  ＣＣＤドライバ
１７  タイミングジェネレータ
２５  測光装置
２６  焦点検出装置
１００  レンズ鏡筒
２００  カメラ本体
２０１  メインスイッチ
２０４  レリーズボタン
２０５  カメラ制御部
２０６  傾斜センサ
３０１  バッファメモリ
３０２  ローパスモジュール
３０３  αブレンドモジュール
３０５  画像処理部
３０６  マスク画像処理部
３０９  記録モジュール
【図１】
2010246033.tif 000003
【図２】
2010246033.tif 000004
【図３】
2010246033.tif 000005
【図４】
2010246033.tif 000006
【図５】
2010246033.tif 000007
【図６】
2010246033.tif 000008
【図７】
2010246033.tif 000009
【図８】
2010246033.tif 000010